(57)【要約】【課題】不良品として排出されたことによる結束体の抜けを補い、また当該抜けへの良品の挿入漏れを防ぐことで、効率よく出荷準備ができる。【解決手段】顧客毎に予め設定された丁合条件に基づき複数種のシート群またはシートから丁合すべきシート群またはシートを選択して所定の搬送ライン上を順次搬送しながら丁合し包装して顧客毎の組シート製品を作成し、当該組シート製品を所定数量毎に結束するシート選択丁合加工装置であって、結束加工する前に組シート製品が前記丁合条件の通りに作成されたかどうかを判定する判定手段と、当該判定結果を各組シート製品と対応する顧客の属性情報として記録する判定結果記録手段と、判定結果が前記丁合条件と一致しないと判定された不良組シート製品を前記搬送ライン上から排出する排出手段と、前記判定結果記録手段の判定結果として一致しない旨の記録を一致する旨の記録に書き換える書換手段と、を備える。【選択図】図６
2010052890.tif 000002
【特許請求の範囲】
【請求項１】
顧客毎に予め設定された丁合条件に基づき複数種のシート群またはシートから丁合すべきシート群またはシートを選択して所定の搬送ライン上を順次搬送しながら丁合し包装して顧客毎の組シート製品を作成し、当該組シート製品を所定数量毎に結束するシート選択丁合加工装置であって、
結束加工する前に組シート製品が前記丁合条件の通りに作成されたかどうかを判定する判定手段と、
当該判定結果を各組シート製品と対応する顧客の属性情報として記録する判定結果記録手段と、
判定結果が前記丁合条件と一致しないと判定された不良組シート製品を前記搬送ライン上から排出する排出手段と、
前記判定結果記録手段の判定結果として一致しない旨の記録を一致する旨の記録に書き換える書換手段と、
を備えることを特徴とする選択丁合製品加工装置。
【請求項２】
請求項１記載の選択丁合製品加工装置において、
顧客が複数のグループに分けられ、予め設定されたグループ毎の生産計画に基づき組シート製品が作成されるものであって、所定グループの生産計画による判定結果の記録が全て一致するとなったときに限り別のグループの生産計画による作成を許可する手段
を備えることを特徴とする選択丁合製品加工装置。
【請求項３】
請求項１または２記載の選択丁合製品加工装置において、
結束された結束体毎に結束番号を付与し、結束体に含まれる組シート製品に対応する顧客番号と当該結束体の結束番号とを対応させた製品リストを出力する出力手段とを備え、
前記排出手段により排出された組シート製品の製品リストが排出されなかった製品リストとは別に出力される
ことを特徴とする選択丁合製品加工装置。
【請求項４】
顧客毎に予め設定された丁合条件に基づき複数種のシート群またはシートから丁合すべきシート群またはシートを選択して所定の搬送ライン上を順次搬送しながら丁合し包装して顧客毎の組シート製品を作成し、当該組シート製品を所定数量毎に結束するシート選択丁合加工方法であって、
結束加工する前に組シート製品が前記丁合条件の通りに作成されたかどうかを判定して、当該判定結果を各組シート製品と対応する顧客の属性情報として記録し、
当該判定結果が前記丁合条件と一致しないと判定された不良組シート製品を前記搬送ライン上から排出し、
排出された不良組シート製品を当該丁合条件に一致する組シート製品に丁合し直した後、当該組シート製品の判定結果として一致しない旨の記録を一致する旨の記録に書き換えることを特徴とする選択丁合製品加工方法。
【請求項５】
請求項４記載の選択丁合製品加工方法において、
顧客が複数のグループに分けられ、予め設定されたグループ毎の生産計画に基づき組シート製品が作成されるものであって、所定グループの生産計画による判定結果の記録が全て一致するとなったときに限り別のグループの生産計画による作成を許可する
ことを特徴とする選択丁合製品加工方法。
【請求項６】
請求項４または５記載の選択丁合製品加工方法において、
結束された結束体毎に結束番号を付与し、結束体に含まれる組シート製品に対応する顧客番号と当該結束体の結束番号とを対応させた製品リストを出力するとともに、
排出された不良組シート製品の製品リストを排出されなかった製品リストとは別に出力する
ことを特徴とする選択丁合製品加工方法。
【発明の詳細な説明】
【技術分野】
【０００１】
本発明は、カタログ類、冊子類、その他印刷紙葉類など適宜シート類から１乃至複数枚を選択・丁合して１組の組シートを作成し、さらに当該組シートを複数組とする組シート製品を作成して、所定の顧客グループ毎に当該組シート製品を一まとめに包装し、結束し、または綴じ付け等加工するための選択丁合製品加工装置およびその方法に関する。
【背景技術】
【０００２】
例えば、冊子、帳票、カタログ、葉書、その他印刷紙葉類などの商業印刷物は、１乃至複数枚のカタログ類、冊子類、その他印刷紙葉類など適宜シート類を、顧客の指示通りに丁合等して１組の製品とし、さらに包装等の手段で結束して予め指定された顧客先に発送出荷される。
【０００３】
このような装置としては、従来よりシート選択丁合及びフィルムラッピング装置がある。
【０００４】
このシート選択丁合及びフィルムラッピング装置は、所定の丁合選択条件に基づき丁合手段により、１種乃至複数種のカタログ類（あるいは冊子類、その他印刷シート類）など複数種のシート群のうちから丁合すべき１種乃至複数種のシート群を選択して、その群中から１枚ずつ取り出される複数枚のシートを順次丁合して１組の組シートを作成し、作成された組シートをフィルムラッピング手段によりラッピングフィルムを用いてラッピング包装された組シート製品が作成される。ここで、前記選択丁合条件は顧客から指定された条件に基づくものであり、この情報に基づいて丁合手段を制御動作させることにより、顧客毎に選択丁合された組シート製品が作成されることになる。
【０００５】
ところで、ラッピング包装された組シートには、その組シート毎に対応する顧客名（会社名、各種団体名、個人名など）や顧客住所、あるいはシーケンシャルナンバー、製造日時、あるいは組シートの内容（シート枚数、シート種類）などの顧客情報を印刷表示した顧客情報シートを添付してラッピング包装することが要望される場合がある。この場合、組シートと顧客情報シートとが正しく対応付けられているか否かを検査する必要がある。
【０００６】
そこで特許文献１の発明には、組シートと顧客情報シートとが正しく対応付けられた状態で添付されているか否かを照合する技術が開示されている。
【０００７】
すなわち、顧客毎に予め設定された所定の丁合選択条件に基づき複数種のシート群のうちから丁合すべき１種乃至複数種のシート群を選択し、その選択された群中から１枚ずつ取り出されるシートを１組の組シートとしてその複数組を順次丁合する丁合手段と、丁合後の各組シートを搬送する組シート搬送手段と、丁合後の各組シートの厚みを計測する組シート厚み計測手段と、厚み計測後のそれぞれ組シートに対して顧客毎に予め準備されている顧客情報シートを順次添付する顧客情報シート供給添付手段と、順次添付される前記各顧客情報シートに表示されているそれぞれ顧客情報を順次読み取る顧客情報読取手段と、計測された前記計測厚みデータと読み取られた顧客情報から導き出される規定厚みデータとを照合して両厚みデータの一致、不一致を判定する照合判定手段と、搬送される照合判定後の各々組シートをそれぞれ包装又は結束又は綴じ付けする組シート加工手段とを備えたことを特徴とするシート選択丁合加工装置が開示され、さらに、前記照合判定手段により不一致と判定された組シートをリジェクトするリジェクト手段を前記組シート加工手段の前段に備えるシート選択丁合加工装置が開示されている。
【０００８】
以下に先行技術文献を示す。
【特許文献１】特許第３７０９７５６号公報
【発明の開示】
【発明が解決しようとする課題】
【０００９】
特許文献１の装置によって作成された包装又は結束等された組シート製品は、通常、顧客名や出荷先（発送先）に基づいて順次所定数量毎に結束加工され、出荷先毎に定められた出荷用の台車に所定数量だけ積載されて出荷されることになる。
【００１０】
ところで、上記装置の照合判定手段によって不一致（エラー）と判定された組シートは、不良品としてリジェクト手段によって加工ラインの外側に排除されることになるため、結束加工後の結束体の中には本来結束されるべき組シート製品のない（抜け落ちてしまった）結束体が生じてしまう場合がある。この「抜け落ちてしまった」組シート製品は不良品と判定されたため、別途正しく丁合した良品の組シート製品（手直し製品）を作成し直す必要があり、しかも該当する結束体の抜け落ちてしまった位置に当該手直し製品を入れ戻す（挟み込む）必要がある。
【００１１】
しかしながら、上記特許文献１には、この「抜け落ち」を補う解決策は何ら開示されていない。
【００１２】
また、従来は、この「抜け落ち」を補う方法としては、組シート製品の結束体において不良品による「抜け落ち」が生じた箇所に付箋やマーキング等の方法による目印をつけておき、別途良品の組シート製品（手直し製品）を作成し直した後、本来結束されるべき目印の箇所を探してその箇所に当該手直し製品を入れ戻す（挟み込む）という方法がとられていた。
【００１３】
しかしながら、特許文献１の装置により組シート製品が作成されるスピードは、１分あたり４０〜６０組と高速であるため、この方法では、不良品がごく少数（２、３部）のときは対応可能であるとしても、多数の不良品が生じたときは、作成された複数の結束体の中から、当該手直し製品に該当する「抜け落ち」たが生じた箇所を探すには、かなりの手間がかかるという問題があった。
【００１４】
さらに、探し出した箇所に該当する手直し製品を入れ戻すには、出荷用台車上に積載されている複数の結束体の中から該当する結束体を探し出して積み降ろし、結束状態を一旦解いてから該当位置に手直し製品を入れ戻した後再度結束し直し、さらに元の台車上の元の位置に積み直すという手間もかかってしまっていた。
【００１５】
さらに、不良品として排出され「抜け落ち」が生じてしまったにもかかわらず、手直し製品の入れ戻しを忘れてしまい結束体から組シート製品が「抜け落ち」たままになっていることに気付かずに出荷されてしまうという不具合が生じていた。
【００１６】
そこで本発明は、これらの課題を解決するためになされたもので、不良品として排出されたことによる結束体の「抜け落ち」を補うための解決策を提供し、効率よく出荷準備ができるようにするものである。さらに、結束体への不良品に対応する良品の入れ戻し漏れを防ぐことができるようにするものである。
【課題を解決するための手段】
【００１７】
本発明において上記課題を達成するために、まず請求項１の発明では、顧客毎に予め設定された丁合条件に基づき複数種のシート群またはシートから丁合すべきシート群またはシートを選択して所定の搬送ライン上を順次搬送しながら丁合し包装して顧客毎の組シー
ト製品を作成し、当該組シート製品を所定数量毎に結束するシート選択丁合加工装置であって、結束加工する前に組シート製品が前記丁合条件の通りに作成されたかどうかを判定する判定手段と、当該判定結果を各組シート製品と対応する顧客の属性情報として記録する判定結果記録手段と、判定結果が前記丁合条件と一致しないと判定された不良組シート製品を前記搬送ライン上から排出する排出手段と、前記判定結果記録手段の判定結果として一致しない旨の記録を一致する旨の記録に書き換える書換手段と、を備えることを特徴とする選択丁合製品加工装置を提供するものである。
【００１８】
また、請求項２の発明では、請求項１記載のシート選択丁合加工装置において、顧客が複数のグループに分けられ、予め設定されたグループ毎の生産計画に基づき組シート製品が作成されるものであって、所定グループの生産計画による判定結果の記録が全て一致するとなったときに限り別のグループの生産計画による作成を許可する手段を備えることを特徴とする選択丁合製品加工装置を提供するものである。
【００１９】
また、請求項３の発明では、請求項１または２記載のシート選択丁合加工装置において、結束された結束体毎に結束番号を付与し、結束体に含まれる組シート製品に対応する顧客番号と当該結束体の結束番号とを対応させた製品リストを出力する出力手段とを備え、前記排出手段により排出された組シート製品の製品リストが排出されなかった製品リストとは別に出力されることを特徴とする選択丁合製品加工装置を提供するものである。
【００２０】
また、請求項４の発明では、顧客毎に予め設定された丁合条件に基づき複数種のシート群またはシートから丁合すべきシート群またはシートを選択して所定の搬送ライン上を順次搬送しながら丁合し包装して顧客毎の組シート製品を作成し、当該組シート製品を所定数量毎に結束するシート選択丁合加工方法であって、結束加工する前に組シート製品が前記丁合条件の通りに作成されたかどうかを判定して、当該判定結果を各組シート製品と対応する顧客の属性情報として記録し、当該判定結果が前記丁合条件と一致しないと判定された不良組シート製品を前記搬送ライン上から排出し、排出された不良組シート製品を当該丁合条件に一致する組シート製品に丁合し直した後、当該組シート製品の判定結果として一致しない旨の記録を一致する旨の記録に書き換えることを特徴とする選択丁合製品加工方法を提供するものである。
【００２１】
また、請求項５の発明では、請求項４記載のシート選択丁合加工方法において、顧客が複数のグループに分けられ、予め設定されたグループ毎の生産計画に基づき組シート製品が作成されるものであって、所定グループの生産計画による判定結果の記録が全て一致するとなったときに限り別のグループの生産計画による作成を許可することを特徴とする選択丁合製品加工方法を提供するものである。
【００２２】
また、請求項６の発明では、請求項４または５記載のシート選択丁合加工方法において、結束された結束体毎に結束番号を付与し、結束体に含まれる組シート製品に対応する顧客番号と当該結束体の結束番号とを対応させた製品リストを出力するとともに、排出された不良組シート製品の製品リストを排出されなかった製品リストとは別に出力することを特徴とする選択丁合製品加工方法を提供するものである。
【発明の効果】
【００２３】
本発明は以上の構成であるから、下記に示す如き効果がある。
【００２４】
すなわち、不良と判定された組シート製品が排出された場合であっても、複数の結束体の中から不良品の「抜け落ち」てしまった箇所を探し出して、かつ手直し製品を挿入するといった手間をかける必要がない。
【００２５】
また、結束体に不良品が生じた場合であっても、これに該当する手直し製品の作成を忘れることなく確実に作成し直すことができる。
【００２６】
さらに、順次作成される結束体に不良品が生じたとしても、従来のように不良品による抜けが生じた結束体を探し出し、積み下ろし、結束体を一旦解いて再度結束し直し、積み直すという手間が不要になる。
【発明を実施するための最良の形態】
【００２７】
以下、本発明の実施の形態を詳細に説明する。
【００２８】
本実施の形態により作成される組シート製品は、この組シート製品を配布する顧客となるべき会員毎に、一枚又は複数枚のシート又はシート群から所定の条件に従って選択され丁合されることになるため、まず、会員について説明する。図１５に示すように、地区（都道府県）毎に、組シート製品を配送する「センター」（配送センター）がいくつかあり、各センターには複数のコース（配送コース）が設定されている。会員は、住居地に従っていずれかのコースに所属することになる。本実施の形態では、このコース毎に丁合条件を設定し、組シート製品を作成することで、組シート製品を効率よく配送することができる。
【００２９】
次に、本実施の形態による選択丁合製品加工装置について説明する。選択丁合製品加工装置は、図６に示すように、選択丁合製品加工装置本体７１と、これを制御する制御装置５０及びこれに接続された各処理装置（後述する）から構成される。
【００３０】
選択丁合製品加工装置本体７１は、図１、図２又は図３に示すように、一枚又は複数枚のシート又はシート群を順次丁合して組シートを作成する組シート丁合手段Ａと、丁合後の組シートを順次搬送する組シート搬送手段Ｂと、この組シート搬送手段Ｂに顧客情報シートを順次供給する顧客情報シート供給添付手段Ｄと、組シート搬送手段Ｂの後方に配置され顧客情報シートが載置された組シートをラッピング包装して組シート製品を作成する組シート製品包装手段Ｆと、この組シート製品包装手段Ｆの後方に配置され、包装された組シート製品を順次搬送しながら複数の組シート製品を結束する結束手段Ｇからなる。
【００３１】
一方、制御装置５０は、制御部、メモリ、データ比較照合手段等（いずれも図示せず）からなり、選択丁合製品加工装置本体７１に接続されるとともに、ＨＵＢ５７を介して各処理装置すなわち生産管理端末５６、データ処理サーバ５８、帳票出力用端末５９、プリンタ６０が接続されている。
【００３２】
さらに、各種センサ、不良品のリジェクト手段、自動停止手段や警報手段（いずれも図示せず）が接続されている。
【００３３】
次に、本実施形態の動作を説明する。まず、作業員は、生産開始前に予め選択丁合製品加工装置本体７１にこれから生産すべき組シート製品の部材となるシート又はシート群を丁合手段Ａのシート供給部１に所定数量セットしておく。そして、生産管理端末５６より生産指示を出す。すなわち、図７に示すＴＯＰメニューのメニューページ画面から「生産スケジュール選択」を選択し、次画面のスケジュール選択１より、生産すべき機械番号及びスケジュールを選択する。
【００３４】
ここで機械番号とは、生産管理端末５６に接続された選択丁合製品加工装置本体７１の各機械番号を示すもので、この実施形態では３機が接続され、うち２号機は既に生産指示を出されて生産中であり、選択できないようになっている。また、スケジュールとは、図１１の８３に示すように品名及び作業コードの項目からなり、品名毎に作業コードの範囲
を示すデータから構成される。また、作業コードは、８１に示すような複数の項目からなり、一つの作業コードが一つの組シート製品に１対１に対応するように構成される。そして、この作業コードに従って組シート製品が丁合され、結束され、台車に積載され、出荷されることになる。従って、作業コードを特定することで、対応する組シート製品の生産状況、出荷状況等を追跡することが可能となる。
【００３５】
ここでは、機械「１号機」とスケジュール「愛知１号」を選択し、「次へ」を押す。次画面のスケジュール選択２の表示内容を確認し「次へ」を押すと、次画面のスケジュール選択３に、前記選択されたとおり通りにデータがセットされたことが表示される。
【００３６】
次に、選択丁合製品加工装置本体７１による丁合加工工程を詳細に説明する。図１に示すように、組シート丁合手段Ａは、複数種のシート又はシート群Ｐ１、Ｐ２、Ｐ３、〜Ｐｎを載置する一列に配列された複数基のシート供給部１−１、１−２、１−３、〜１−ｎと、このシート供給部に近接して、この供給部配列方向に沿って平行に、シートをＹ方向に搬送するエンドレス状のギャザリングチェーン２と、該チェーン２をその両端部で巻回して回転送行させる駆動回転スプロケット２ａ、２ｂと、該チェーン２に等間隔に取り付けた複数個のシート押送爪３と、搬送支持用スライドガイド板４により構成されている。
【００３７】
この組シート丁合手段Ａは、所定の丁合選択条件に基づき、予めシート供給部に積載されたシート又はシート群Ｐ１、Ｐ２、Ｐ３、〜Ｐｎのうちから、丁合すべき１種乃至複数種を選択し、各１枚ずつをＸ方向に順次取り出して、該シートをＹ方向に搬送動作するギャザリングチェーン２上に載置し、押送爪３によってシート後端部を押送しながら前方に搬送して、該シートＰｋを１組の組シートＰｍとして順次丁合する。なお、シート又はシート群Ｐｎとしては、例えば、葉書、カタログ、商品広告宣伝用シートなどのシート類又はそれらシート類を綴じ込んだシート状冊子類などである。
【００３８】
組シート丁合手段Ａによって丁合された組シートＰｍは、図１及び図２に示すように、ギャザリングチェーン２の搬送方向先端部からＹ方向に搬出されて、ベルトコンベア方式、ローラーコンベア方式などの組シート搬送手段Ｂ側に受け渡される。
【００３９】
組シート搬送手段Ｂは、組シートＰｍをＹ方向に搬送動作するエンドレス状のチェーンコンベア１２と、該チェーンコンベア１２をその両端部で巻回して回転送行させる駆動回転スプロケット１２ａ、１２ｂと、該チェーンコンベア１２に取り付けられた複数個のシート押送爪１３と、搬送支持用スライドガイド板１４により構成される。さらに、組シート搬送手段Ｂにおける組シートＰｍの通過する経路上には、丁合確認手段Ｃが搭載されている。
【００４０】
顧客情報シート供給添付手段Ｄは、図２に示すように、顧客毎に予め準備されている顧客情報シートＰａを集積載置する集積部２１と、バキュームエアー吸着方式、咥え爪（クランプ）方式、摩擦ロールフィード方式などによるシート送り出し手段（図示せず）により、集積部２１から順に１枚（又は１部）ずつ送り出される顧客情報シートＰａを、組シート搬送手段ＢによりＹ方向に搬送される組シートＰｍ上に順次供給添付する搬送部２２とを備え、さらに、搬送部２２には、顧客情報シートＰａに記載された顧客情報ｋを読み取るための顧客情報読取手段Ｅを備えている。そして、組シート丁合手段Ａより組シート搬送手段Ｂを経て順次搬送される組シートＰｍ上に、この搬送速度に同期するタイミングで、かつ組シートＰｍの搬送方向（Ｙ方向）と直交するＸ方向から、対応する顧客情報シートＰａが供給添付され、この顧客情報シートＰａが添付された組シートＰａｍが組シート加工手段Ｆへ搬送され供給される。
【００４１】
また、顧客情報シートＰａが組シートＰｍに供給添付される前には、顧客情報読取手段
Ｅによって顧客情報シートＰａに記載された顧客情報ｋが読み取られる。ここで読み取られた顧客情報ｋは、後述するエラー検出等で利用される。
【００４２】
組シート加工手段Ｆは、組シートＰａｍを結束加工するものであり、フィルムラッピング包装するものである。なお、紐結束や、綴じ付け加工などの結束加工を行うものであってもよい。
【００４３】
この組シート加工手段Ｆは、図２に示すように、組シート搬送手段Ｂの下側に、ラッピング包装用のロール状フィルム３０を巻き出し供給するフィルム巻き出し供給軸部３１を備え、ラッピング用フィルム３２（ウエブフィルム）は、搬送手段Ｂのチェーンコンベア１２の下側からフィルムガイド３３の下側を通って上方にガイドされ、さらにガイドロール３４の上側にガイドされる。他方、組シートＰａｍは、搬送手段Ｂによってガイドロール３４上側の長尺状のラッピング用フィルム３２上に合流して載せられＹ方向に搬送される。さらに、Ｙ方向には、斜めガイドプレート３６（又は斜めガイドバー）とフィルム折りガイド３８とを備え、ラッピング用フィルム３２は、幅方向の両端部を斜めガイドプレート３６に沿って序々に同一方向に折り返されて組シートＰａｍを包み充填包装しながらインフィードロール３７（抑えロール）とフィルム折りガイド３８内に導入されて互いに重ね合わせられる。この充填包装は、図４に示すようにラッピング用フィルム３２が両側の斜めガイドプレート３６、３６に沿って両端部３２ｄ、３２ｅが折目３２ｂ、３２ｃにて序々に折り返され、フィルム両端部３２ｄ、３２ｅが互いに幅Ｌ（例えば１０ｍｍ〜２０ｍｍ）にて重ね合わせられることで組シートＰａｍを包み充填包装する。
【００４４】
さらに、フィルム折りガイド３８よりフィルム送行Ｙ方向には、フィルム送行用のアウトフィードロール３９と、フィルム３２の重ね合わせ両端部を施封シールするための縦シール用の加熱ロール４０と、抑えロール４１と、Ｙ方向に直交するＸ方向に設けた横断シール用のシールバー４２とを備え、両端部の重ね合わせ内面が加熱ロール部４０により加熱シールされ縦シール部Ｓ１（例えばシール幅５ｍｍ〜１０ｍｍ）が形成され、さらに下流側にて、Ｘ方向に設けた横断シール用の加熱シールバー４２によって加熱シールされて横断シール部Ｓ２（例えばシール幅１ｍｍ未満又は１〜５ｍｍ）が形成される。また、加熱シールバー４２によってフィルム３２がカッティングされる。
【００４５】
これによって、図５に示すように、組シートＰａｍが包装され、フィルム送行Ｙ方向の縦シール部Ｓ１と直交するＸ方向の横断シール部Ｓ２、Ｓ２とにより個包装された組シート製品（ラッピングフィルム包装体）ｆが作成される。
【００４６】
ところで、組シート丁合手段Ａ、組シート搬送手段Ｂ、組シート加工手段Ｆには各複数箇所には種々のセンサが設けられており、丁合不良（フィードミス、折れ・曲がり等）、ラッピング不良、帳票不良等の不良を検知したときに搬送を停止させて搬送ライン上で当該不良を修正するか、又は搬送ラインから排出して別途当該不良を修正することになる。丁合確認手段Ｃは当該センサの一つで、所定の丁合完了後の組シートＰｍをその厚みにより照合検知するものであり、順次丁合され搬送される組シートＰｍの厚みを実測にて計測し、これに対応する顧客情報シートＰａに表示されている顧客情報ｋを読み取って、予め記憶された規定厚みデータとを比較照合することで、正しく丁合されたか否かを判定し検知する。正常丁合（正常セッティング）と判定されたときは、そのまま搬送ラインの下流にある包装加工工程に搬送され、選択丁合加工装置本体７１から正しく生産されたことを示すデータが生産管理端末５６に出力され、生産管理端末５６には図１１に示すように生産履歴として、この組シートＰｍに対応する作業コードの生産状態が「正常」と記録される。
【００４７】
一方、異常丁合（異常セッティング）と判定されたときは、リジェクト手段（図示せず
）により不良品として搬送ラインから排出されるとともに、選択丁合加工装置本体７１から正しく生産されなかったことを示すデータが生産管理端末５６出力され、対応する作業コードの生産状態が「異常」と記録される。なお、ここで異状丁合と判定されたものがあったとしても、搬送ラインは停止せず、組シート製品の生産は継続される。
【００４８】
そして、「正常」と判定された組シートＰｍは、組シート加工手段Ｆにより組シート製品（ラッピングフィルム包装体）ｆとされ、搬送ラインの下流にある結束手段Ｇに搬送される。この結束手段Ｇでは、スタッカー６１により、搬送されてくる組シート製品ｆを所定部数（例えば１０部を基本とし、丁合されるチラシ等の数量に応じて変更すればよい）スタックし、コンベア６１、６２及びバンドルターンユニット６３により、前記スタックされた組シート製品ｆを９０°回転させてさらに下流に搬送され、バンドルラッパー６４により熱収縮性のある帯フィルムで帯掛けされ、シュリンクトンネル６５を通過しながら帯フィルムを熱収縮させて結束される。そして、結束された組シート製品ｆは搬送ラインから正規に排出され、作業員が結束順の番号を記載したのち、最下流にある出荷用の台車６６に順次積載される。
【００４９】
台車６６は、図１４に示すように容易に移動できるよう底側に車輪が取り付けられ、側面三方は金属フレームにより囲われた構造で、組シート製品ｆは（ｂ）に示すように下から順に二列に載置され、両列が同じ高さになるように載置された後、（ａ）に示すように荷崩れ防止用バンドにより固定される。この台車６６には、図１２に示す管理票が貼り付けられる。この管理票には、出荷すべき組シート製品に対応する配送先のセンター名、出荷日、ならびに配送されるコースと当該コースに対応する結束数量（結束された組シート製品の数量）およびこの数量に該当する結束Ｎｏが表示されている。配送員は、台車に貼り付けられた管理票を参照することで予め定められた通りに配送することができる。
【００５０】
ところで、搬送ラインは、前記のように停止することなく組シート製品の生産が継続されるため、台車６６に積載された組シート製品ｆの結束体の中には、「異状」と判定され搬送ラインから排出された組シートＰｍが抜け落ちていることになる。従って、この抜け落ちた組シートＰｍを作成しなおす必要がある。そこで、異状排出された組シートＰｍについては所定の仕様書に従って正常な丁合に作成しなおすとともに、次のように生産管理端末５６を操作する。
【００５１】
すなわち、図８に示すように生産管理端末５６のＴＯＰメニューから「ＢＣＲ手直し製品登録」を選択し、ＢＣＲ手直し製品登録１の画面から不良理由、ここではラッピング不良を選択し次の画面、ＢＣＲ手直し製品登録２に進む。そして、画面の表示内容に従って生産管理端末５６のバーコードリーダー（ＢＣＲ）を用いて、手直しした組シートＰｍの顧客情報シートに表示されたバーコード（作業コード）を読み取る。読み取ったバーコード（作業コード）が正しく表示されていることを確認したら次の画面、ＢＣＲ手直し製品登録３に進み、表示内容を確認して更新ボタンを押す。すると次の画面、ＢＣＲ手直し製品登録４が表示され登録が完了する。このとき、図１１の８２に示すように、該当する作業コードの生産履歴の手直し状態に「復旧済」と記録される。排出された組シートＰｍの全てについて手直しこのようなＢＣＲ手直し製品登録を繰り返すことになる。そうすることで、生産履歴８２の生産状態が「異常」と記録された全ての作業コードに対応する手直し状態を「復旧済」とすることができる。
【００５２】
全ての手直しが終了したところで、図９に示すように生産管理端末５６のＴＯＰメニューから「手直しリスト出力」を選択し、手直しリスト出力１の画面からリスト出力したいものを選択する。ここでは愛知１号を選択し次の画面、手直しリスト出力２へ進み、画面の表示内容を確認し出力ボタンを押す。すると、プリント出力物がプリントアウトされることになる。このプリント出力物には、エラー排出された（抜け落ちた）組シートＰｍを載置すべき台車Ｎｏ、結束Ｎｏ、コース番号、会員Ｎｏが表示される。
【００５３】
そして、このプリント出力物に表示された手直し済の組シートＰｍすなわち手直し製品を、プリント出力物とともに、表示された台車Ｎｏの台車に積載された結束物の上に積載する。このようにすることで、所定の配送先で台車から結束物を積み降ろす際、プリント出力物を参照し当該結束物から抜け落ちた手直し製品も正しく積み降ろすことができる。詳しくは後述する。
【００５４】
次に、選択した生産スケジュールによる生産が終了したときは、生産管理端末５６から生産終了の操作をすることになる。すなわち、図１０に示すようにＴＯＰメニューから「生産ログの取込」を選択し次の画面、生産ログ取込１から終了したいもの、例えば「２号機、岐阜３号」を選択する。そして次の画面、生産ログ取込２の画面に表示された内容を確認し、次へのボタンを押す。すると、図１１に示す生産履歴８２を参照し、生産状態に「異常」と記録されているにもかかわらず、手直し状態に「復旧済」の記録がないものがあるときは、生産ログ取込３の画面表示のように手直し漏れがある旨が表示される。このときは、生産ログ取込３の画面表示に従って、会員Ｎｏをクリックすることで、ＢＣＲ手直し製品登録２、３、４（いずれも図８）を順次行い、そして手直しリスト出力１、２、３、４（いずれも図９）を行うことで生産ログ取込４へと進むことができる。
【００５５】
一方、生産ログ取込２の画面で次へのボタンを押した際、図１１に示す生産履歴８２の生産状態「異常」に対応する手直し状態が全て復旧済と記録されているときは、生産ログ取込４の画面表示のように判定ＯＫとなり次の画面、生産ログ取込５に表示の通り生産完了となる。
【００５６】
このような生産終了の操作を行うことで、生産状態が「異常」であったにもかかわらず、正常な手直し製品が作成し直されていないものがあるときは、これが容易に分かるので手直し漏れを確実に防ぐことができる。また、選択された生産スケジュールに対応する組シート製品が全て良品となっているときに限り、次の生産スケジュールを選択できる（生産開始できる）ようにしているため、確実に手直し製品を作成することができる。
【図面の簡単な説明】
【００５７】
【図１】本発明の実施形態である選択丁合製品加工装置の一部を示す平面図である。
【図２】本発明の実施形態である選択丁合製品加工装置の一部を示す平面図である。
【図３】本発明の実施形態である選択丁合製品加工装置の一部を示す平面図である。
【図４】本発明の実施形態におけるフィルムラッピング包装加工を示す斜視図である。
【図５】本発明の実施形態によるフィルムラッピング包装加工された組シート製品の斜視図である。
【図６】本発明の実施形態である選択丁合製品加工装置の概要を示すブロック図である。
【図７】本発明の実施形態における生産管理端末の画面遷移を示す図である。
【図８】本発明の実施形態における生産管理端末の画面遷移を示す図である。
【図９】本発明の実施形態における生産管理端末の画面遷移を示す図である。
【図１０】本発明の実施形態における生産管理端末の画面遷移を示す図である。
【図１１】本発明の実施形態におけるデータ構造を示す表である。
【図１２】本発明の実施形態における管理票を示す図である。
【図１３】本発明の実施形態における管理票を示す図である。
【図１４】本発明の実施形態における出荷用の台車を示す図である。
【図１５】本発明の実施形態における会員（顧客）と地区等の関係を示す図である。
【符号の説明】
【００５８】
Ａ…組シート丁合手段
Ｂ…組シート搬送手段
Ｃ…丁合確認手段
Ｄ…顧客情報シート供給添付手段
Ｅ…顧客情報読取手段
Ｆ…組シート加工手段
Ｇ…結束手段
ｆ…組シート製品（ラッピングフィルム包装体）
５０…制御装置
５６…生産管理端末
５７…リジェクト手段
５８…データ処理サーバ
５９…帳票出力用端末
６０…プリンタ
６６…出荷用台車
【図１】
2010052890.tif 000003
【図２】
2010052890.tif 000004
【図３】
2010052890.tif 000005
【図４】
2010052890.tif 000006
【図５】
2010052890.tif 000007
【図６】
2010052890.tif 000008
【図７】
2010052890.tif 000009
【図８】
2010052890.tif 000010
【図９】
2010052890.tif 000011
【図１０】
2010052890.tif 000012
【図１１】
2010052890.tif 000013
【図１２】
2010052890.tif 000014
【図１３】
2010052890.tif 000015
【図１４】
2010052890.tif 000016
【図１５】
2010052890.tif 000017